(57)【要約】【課題】  本発明はメディアゲートウェイ装置の負荷分散システムに関し、呼損を防ぐことができるメディアゲートウェイ装置の負荷分散システムを提供することを目的としている。【解決手段】  固定電話網８とＩＰ網２を結ぶＶｏＩＰ音声通信を提供するために、コールエージェント装置３がメディアゲートウェイ装置４を制御することによって、固定電話網８とＩＰ網２間の電話サービスを実現するシステムにおいて、前記コールエージェント装置３とメディアゲートウェイ装置４との間に、メディアゲートウェイ装置４の負荷を検出し、メディアゲートウェイ装置４の何れかに高負荷状態が発生した時に、メディアゲートウェイ装置４への負荷の分散を図るようにした代表ＶｏＩＰ機能部２０を設けて構成される。【選択図】      図１
2005333312.tif 000002
【特許請求の範囲】
【請求項１】
固定電話網とＩＰ網を結ぶＶｏＩＰ音声通信を提供するために、コールエージェント装置がメディアゲートウェイ装置を制御することによって、固定電話網とＩＰ網間の電話サービスを実現するシステムにおいて、
前記コールエージェント装置とメディアゲートウェイ装置との間に、メディアゲートウェイ装置の負荷を検出し、メディアゲートウェイ装置の何れかに高負荷状態が発生した時に、メディアゲートウェイ装置への負荷の分散を図るようにした代表ＶｏＩＰ機能部を設けたことを特徴とするメディアゲートウェイ装置の負荷分散システム。
【請求項２】
前記代表ＶｏＩＰ機能部がＭＥＧＡＣＯ信号を受信した際、ラウンドロビン方式を用いて、接続された配下ＶｏＩＰ機能部管理部の全てに対して平均的に負荷を分散させることを特徴とする請求項１記載のメディアゲートウェイ装置の負荷分散システム。
【請求項３】
前記代表ＶｏＩＰ機能部がＭＥＧＡＣＯ信号を受信した際、ハッシュ関数を用いて、接続された配下ＶｏＩＰ機能部管理部の全てに対して平均的に負荷を分散させることを特徴とする請求項１記載のメディアゲートウェイ装置の負荷分散システム。
【請求項４】
前記代表ＶｏＩＰ機能部がＭＥＧＡＣＯ信号を受信した際、ＣＣ使用率又は回線使用率、ディジタル信号処理装置使用率の全て若しくは任意の項目を用いてＭＥＧＡＣＯ信号を振り分けることを特徴とする請求項１記載のメディアゲートウェイ装置の負荷分散システム。
【請求項５】
前記代表ＶｏＩＰ機能部がＭＥＧＡＣＯ信号を受信した際、選択された回線を動的に接続、解放することを特徴とする請求項１記載のメディアゲートウェイ装置の負荷分散システム。
【発明の詳細な説明】
【技術分野】
【０００１】
本発明はメディアゲートウェイ装置の負荷分散システムに関する。
固定電話網（ＰＳＴＮ：Ｐｕｂｕｌｉｃ  Ｓｗｉｔｃｈ  Ｔｅｌｅｐｈｏｎｅ  Ｎｅｔｗｏｒｋ）とＩＰ（Ｉｎｔｅｒｎｅｔ  Ｐｒｏｔｏｃｏｌ）網を結ぶＶｏＩＰ（Ｖｏｉｃｅ  Ｏｖｅｒ  ＩＰ）音声通信を提供するためには、コールエージェント装置（ＣＡ装置と略す）が主導となってメディアゲートウェイ装置（ＭＧ装置と略す）を制御することによって、固定電話網（ＰＳＴＮ）とＩＰ網間の電話サービスを実現している。
【０００２】
コールエージェント装置がメディアゲートウェイ装置を制御するための信号プロトコルとして、ＭＥＧＡＣＯ（Ｍｅｄｉａ  Ｇａｔｅｗａｙ  Ｃｏｎｔｒｏｌ）プロトコルが存在し、以下のように標準化されている。
・Ｈ．２４８（ＭＥＧＡＣＯ）：ＩＴＵ−Ｔ（国際電気通信連合の電気通信標準化部門）にて標準化されたメディアゲートウェイ装置制御プロトコル
・ＴＤ−１００２：ＴＴＣ（情報通信技術委員会）にて標準化されたＭＧ制御プロトコル
・ＲＦＣ３０１５：ＩＥＴＦ（インターネットで用いられる技術等について検討する標準化組織）にて標準化されたメディアゲートウェイ装置制御プロトコル
本発明は、コールエージェント装置に依存せずに、メディアゲートウェイ装置単独で負荷分散及び、収容回線の接続変更を動的に行なう技術である。
【背景技術】
【０００３】
メディアゲートウェイ装置は、コールエージェント装置とＭＥＧＡＣＯプロトコルを用いて、固定電話とＩＰ電話の呼接続を行なう。コールエージェント装置とメディアゲートウェイ装置の位置付けは、以下の通りである。
【０００４】
コールエージェント装置：ＰＳＴＮ交換機と共通線信号を用いてネゴーシエーションすることにより、固定電話網（ＰＳＴＮ）とＩＰ網間の接続パスを決定する装置
メディアゲートウェイ装置：コールエージェント装置が指定したパスに対して固定電話網（ＰＳＴＮ）とＩＰ網間の呼接続を行なう装置
図１４はＭＥＧＡＣＯ通信方式における接続構成例を示すブロック図である。図において、１はＩＰ電話端末である。図中に示す050-2222-1111は電話番号、（192.168.10.1）はＩＰアドレスを示す。２はこれらＩＰ電話端末１と接続されるＩＰ網である。３はＩＰ網２と接続されるコールエージェント装置＃０である。４は該コールエージェント装置＃０と接続されるメディアゲートウェイ装置である。メディアゲートウェイ装置４は、ここでは＃０と＃１の２台設けられた例を示している。メディアゲートウェイ装置４において、４ａはＶｏＩＰ機能部、４ｂはＶｏＩＰ機能部４ａと接続されるタイムスイッチ（ＴＳＷ）である。
【０００５】
５はこれらメディアゲートウェイ装置４と接続される空間スイッチ（ＳＰＳＷ）、６は該空間スイッチ５と接続されるタイムスイッチ（ＴＳＷ）、７はこれらタイムスイッチ６と接続される回線終端装置である。これら回線終端装置７において、＃０はＴＳＷ＃２と接続され、＃１はＴＳＷ＃３と接続されている。８はこれら回線終端装置７と接続される固定電話網（ＰＳＴＮ）、９は固定電話網８と接続される交換機＃０である。１０は交換機＃０と接続される電話端末（固定電話）である。Ａはコールエージェント装置＃０と交換機＃０間に接続された共通線信号である。
【０００６】
前述したように、メディアゲートウェイ装置４はコールエージェント装置３とＭＥＧＡＣＯプロトコルを用いて、固定電話１０とＩＰ電話１の呼接続を行なう。コールエージェント装置３は、ＰＳＴＮ交換機９と共通線信号（呼制御信号）を用いてネゴーシエーションすることにより、固定電話網（ＰＳＴＮ）８とＩＰ網２間の接続パスを決定する。メディアゲートウェイ装置４は、コールエージェント装置３が指定したパスに対して固定電話網（ＰＳＴＮ）８とＩＰ網２間の呼接続を行なう。
【０００７】
図１４に示すシステムを用いて、電話番号045-222-1111の固定電話１０と、電話番号050-2222-1111のＩＰ電話間でのＶｏＩＰ呼設定処理を以下に示す。
（ＣＳ１）コールエージェント装置３が交換機９と共通線信号を用いて、接続する電話間で利用する回線とチャネルを選択する。例えば、045-222-1111と050-2222-1111間で接続するために、回線番号０のチャネル０番を選択する。
（ＣＳ２）コールエージェント装置３が、内部に持つメディアゲートウェイ装置情報管理データを元に、ＣＳ１で設定した回線番号とチャネル番号から通信対象となるメディアゲートウェイ装置を決定する。図１５はコールエージェント装置内部のメディアゲートウェイ装置情報管理データを示す図である。図に示すように、ＭＧ情報と収容回線情報とから構成されている。
【０００８】
ＭＧ情報は、ＭＧ番号とＭＧ向けＩＰアドレスからなり、メディアゲートウェイ装置が例えばメディアゲートウェイ装置＃０の場合のＩＰアドレスは192.168.0.1である。収容回線情報は、収容回線番号と収容チャネル番号とからなり、収容回線番号が例えば０の場合の収容チャネル番号は０〜１である。
【０００９】
例えば、回線０番、チャネル０番はメディアゲートウェイ装置＃０に収容されているため、メディアゲートウェイ装置＃０との通信を決定する。
（ＣＳ３）コールエージェント装置３が決定したメディアゲートウェイ装置４に対して、ＭＥＧＡＣＯプロトコルを用いて該当のチャネル接続を要求する。
（ＣＳ４）メディアゲートウェイ装置４では、内部のＶｏＩＰ機能部４ａにて、該当のチャネル接続要求を受け付け、ＶｏＩＰ機能部４ａで管理している呼管理テーブルに指定された接続チャネル番号を設定し、コールエージェント装置３にチャネル接続完了を応答する。図１６はＶｏＩＰ機能部４ａ内の呼管理テーブルを示す図である。
【００１０】
呼情報番号でアクセスし、該当番地にある呼情報を得る。呼情報は、接続チャネル番号と、加入者ＩＰアドレスと、使用音声情報（ＣＯＤＥＣ）から構成される。接続チャネル番号はＣＳ４で設定し、加入者ＩＰアドレスと使用音声情報はＣＳ６で設定する。
【００１１】
なお、ＶｏＩＰ機能部−ＴＳＷ−ＳＰＳＷ−回線終端装置間の相互接続（以降、Ｔ−Ｓ−Ｔ接続という）については、初期設定時に固定接続テーブルを用いて固定的に設定している。図１７はＶｏＩＰ機能部内の固定接続テーブルを示す図である。図に示すように、ＭＧ情報と、収容回線情報とからなる。ＭＧ情報は、ＭＧ番号とＶｏＩＰ機能部から構成され、収容回線情報は、Ｔ−Ｓ−Ｔ構成と接続回線終端装置とから構成される。例えば、Ｔ−Ｓ−Ｔ構成がＴＳＷ＃０−ＳＰＳＷ−ＴＳＷ＃２の場合は、接続回線終端装置は回線終端装置＃０となる。
（ＣＳ５）コールエージェント装置３は、呼接続したチャネルと接続する加入者ＩＰアドレスと使用音声情報（ＣＯＤＥＣ）をメディアゲートウェイ装置に通知し、ＩＰ網向けの接続を要求する。例えば、電話番号が050-2222-1111ならばＩＰアドレスは、図１４に示したように192.168.10.1を通知する。
（ＣＳ６）メディアゲートウェイ装置４では、内部のＶｏＩＰ機能部４ａにて、指定された加入者ＩＰアドレスと、使用音声情報（ＣＯＤＥＣ）に従った音声パスの接続を実施し、ＣＳ４で受け付けた回線とのリンクを行なう。更に、ＶｏＩＰ機能部の内部で管理している呼管理テーブル（図１６参照）に指定された加入者ＩＰアドレス、使用音声情報（ＣＯＤＥＣ）を設定し、コールエージェント装置３に音声パス接続完了を応答する。
【００１２】
以上の流れで、ＰＳＴＮ−ＩＰ網間の呼接続が行なわれる。
次に、Ｔ−Ｓ−Ｔ接続についての基本動作を説明する。Ｔ−Ｓ−Ｔ接続は、回線網終端装置７から取得した仮想チャネルの情報をＴＳＷを介してＳＰＳＷ５に送信し、受付部であるＴＳＷ側で受信する仮想チャネルの情報を再構築する技術である。メディアゲートウェイ装置４は、図１７に示した内容の通りに初期設定時に半固定のチャネル接続を行なう。図１８はＴ−Ｓ−Ｔ接続図を示す。この図は、半固定のチャネルを接続した状態での動作とタイムスロットの割り当てについての概要を示している。ここで、１５は回線網終端装置７の回線内のチャネルに対応するタイムスロットを示している。
【００１３】
従来のこの種のシステムとしては、例えば複数のＶｏＩＰトランクによって着信グループを構成するＰＢＸのトランク着信先の決定／管理を行う装置を有する場合に有効な迂回方式が知られている（例えば特許文献１参照）。
【特許文献１】特開２００３−１６９０７９号公報（第５頁、第６頁、図１）
【発明の開示】
【発明が解決しようとする課題】
【００１４】
メディアゲートウェイ装置４に収容されている回線（ＳＴＭ０／ＳＴＭ１（５２Ｍ，１５６Ｍ）／Ｅ１／Ｔ１）の構成は、メディアゲートウェイ装置４に固定で割り付けられている。コールエージェント装置３は、メディアゲートウェイ装置４に収容されている回線及びチャネルを認識しており、コールエージェント装置３主導でチャネルに対する呼接続要求を行なう。
【００１５】
従って、コールエージェント装置３は、１つのチャネルを捕捉するためには、特定のメディアゲートウェイ装置４と通信しなければならない。上記の制約により、１つのメディアゲートウェイ装置４に収容されたチャネルに対して負荷が集中した場合、該当の装置のＶｏＩＰ機能部４ａの負荷が増加し、サービスに支障をきたす。
【００１６】
具体的には、図１４に示す構成で、メディアゲートウェイ装置４内のＶｏＩＰ機能部４ａの処理能力が３００００ＢＨＣＡ（呼数／時間）上限であった場合、回線番号１内のチャネルに対して５００００ＢＨＣＡの呼接続要求が行なわれると、ＶｏＩＰ機能部＃０の負荷状態にかかわらず、ＶｏＩＰ機能部＃１の負荷が急増し２００００ＢＨＣＡの呼損となる。図１９は従来システムの問題点の説明図である。図１４と同一のものは、同一の符号を付して示す。
【００１７】
図１９において、回線番号１に対して負荷が集中すると、３００００ＢＨＣＡ以上は受け付けられずに呼損となる。この時、ＶｏＩＰ機能部＃０が低負荷の場合は、ＶｏＩＰ機能部＃０にあふれた２００００ＢＨＣＡの処理をゆだねることで、呼損を防ぐことができるはずである。
【００１８】
本発明はこのような課題に鑑みてなされたものであって、呼損を防ぐことができるメディアゲートウェイ装置の負荷分散システムを提供することを目的としている。
【課題を解決するための手段】
【００１９】
本発明は、複数のＶｏＩＰ機能部４ａを管理する代表ＶｏＩＰ機能部を新たに設けて、メディアゲートウェイ装置４における負荷分散を行なうようにしたものである。図１は本発明の原理ブロック図である。図１４と同一のものは、同一の符号を付して示す。図において、２０はコールエージェント装置３とメディアゲートウェイ装置４との間に、メディアゲートウェイ装置４への負荷の分散を図るようにした代表ＶｏＩＰ機能部である。この代表ＶｏＩＰ機能部２０が本発明を特徴付ける部分である。このシステムで、コールエージェント装置＃０は、特に代表ＶｏＩＰ機能部２０の存在を意識しておらず、従来通りメディアゲートウェイ装置４と接続されていることを意識した動作を行なう。
【００２０】
代表ＶｏＩＰ機能部２０は、以下の機能をもっている。
・複数（若しくは単一）メディアゲートウェイ装置の受付部としてコールエージェント装置３からの信号を受信する機能
・配下ＶｏＩＰ機能部４ａの負荷状態を判断し、適切なＶｏＩＰ機能部４ａに呼接続を要求する機能
・配下ＶｏＩＰ機能部４ａに動的にチャネルを割り当てる機能
このような機能により、コールエージェント装置３の処理を変更することなく、メディアゲートウェイ装置内部に閉じた負荷分散制御が可能となる。具体的には、図１４に示した構成で、メディアゲートウェイ装置４内のＶｏＩＰ機能部４ａの処理能力が３００００ＢＨＣＡ上限である場合、回線番号１内のチャネルに対して５００００ＢＨＣＡの呼接続要求が行なわれても、ＶｏＩＰ機能部４ａにはそれぞれ２５０００ＢＨＣＡずつ負荷が分散され、呼損は発生しない。それぞれのＶｏＩＰ機能部４ａで処理される呼数は２５０００であり、上限値３００００以内であるからである。
【００２１】
図１に示すように、回線番号１に対して負荷が集中しても、代表ＶｏＩＰ機能部２０が各メディアゲートウェイ装置４のＶｏＩＰ機能部４ａに負荷を分散するので、呼損は発生しない。このように、本発明によれば、呼損を防ぐことができる。
（１）請求項１記載の発明は、固定電話網とＩＰ網を結ぶＶｏＩＰ音声通信を提供するために、コールエージェント装置がメディアゲートウェイ装置を制御することによって、固定電話網とＩＰ網間の電話サービスを実現するシステムにおいて、前記コールエージェント装置とメディアゲートウェイ装置との間に、メディアゲートウェイ装置の負荷を検出し、メディアゲートウェイ装置の何れかに高負荷状態が発生した時に、メディアゲートウェイ装置への負荷の分散を図るようにした代表ＶｏＩＰ機能部を設けたことを特徴とする。
【００２２】
ここで、コールエージェント装置はコールエージェント（Ｃａｌｌ  Ａｇｅｎｔ）装置のことであり、メディアゲートウェイ装置はメディアゲートウェイ（Ｍｅｄｉａ  Ｇａｔｅｗａｙ）装置のことであり、ＶｏＩＰ音声通信とは、（Ｖｏｉｃｅ  Ｏｖｅｒ  ＩＰ）音声通信のことである。
（２）請求項２記載の発明は、前記代表ＶｏＩＰ機能部がＭＥＧＡＣＯ信号を受信した際、ラウンドロビン方式を用いて、接続された配下ＶｏＩＰ機能部管理部の全てに対して平均的に負荷を分散させることを特徴とする。
【００２３】
ここで、ＭＥＧＡＣＯとはメディア・ゲートウェイ・コントロール（Ｍｅｄｉａ  Ｇａｔｅｗａｙ  Ｃｏｎｔｒｏｌ）のことである。ラウンドロビンとは、ネットワークの負荷分散の場合、同様の構成にした系を複数用意して処理要求を順番に割り振ることをいう。
（３）請求項３記載の発明は、前記代表ＶｏＩＰ機能部がＭＥＧＡＣＯ信号を受信した際、ハッシュ関数を用いて、接続された配下ＶｏＩＰ機能部管理部の全てに対して平均的に負荷を分散させることを特徴とする。
【００２４】
ここで、ハッシュ関数とは、与えられた原文から固定長の疑似乱数を生成する演算手法のことである。
（４）請求項４記載の発明は、前記代表ＶｏＩＰ機能部がＭＥＧＡＣＯ信号を受信した際、ＣＣ使用率又は回線使用率、ディジタル信号処理装置使用率の全て若しくは任意の項目を用いてＭＥＧＡＣＯ信号を振り分けることを特徴とする。
【００２５】
ここで、ＣＣ使用率とは該当のＶｏＩＰのＣＰＵの使用率のことであり、ディジタル信号処理装置使用率とは、回線を結ぶ装置の使用率のことである。
（５）請求項５記載の発明は、前記代表ＶｏＩＰ機能部がＭＥＧＡＣＯ信号を受信した際、選択された回線を動的に接続、解放することを特徴とする。
【発明の効果】
【００２６】
（１）請求項１記載の発明によれば、代表ＶｏＩＰ機能部がメディアゲートウェイ装置の何れかに高負荷状態が発生した時、そのことを検知してメディアゲートウェイ装置に平均的に負荷が分散するように制御するので、呼損は生じない。
（２）請求項２記載の発明によれば、代表ＶｏＩＰ機能部がラウンドロビン方式を用いて配下ＶｏＩＰに対して平均的に負荷を分散させることができる。
（３）請求項３記載の発明によれば、代表ＶｏＩＰ機能部がハッシュ関数を用いて配下ＶｏＩＰに対して平均的に負荷を分散させることができる。
（４）請求項４記載の発明によれば、代表ＶｏＩＰ機能部がＣＣ使用率又は回線使用率、ディジタル信号処理装置使用率を用いてＭＥＧＡＣＯ信号を振り分けることができる。
（５）請求項５記載の発明によれば、代表ＶｏＩＰ機能部がＭＥＧＡＣＯ信号を受信した際、選択された回線を動的に接続、開放することで動的に速やかな回線制御を行なうことができる。
【発明を実施するための最良の形態】
【００２７】
以下、図面を参照して本発明の実施の形態例を詳細に説明する。
図２は代表ＶｏＩＰ機能部の構成例を示す図である。図１と同一のものは、同一の符号を付して示す。図において、破線の四角で囲まれた部分が代表ＶｏＩＰ機能部２０である。信号の流れは破線と矢印がデータ参照関係を、実線と矢印が機能コール関係を示す。図において、１２はコールエージェント装置３からのＭＥＧＡＣＯ信号を受信するＭＥＧＡＣＯ信号受付部である。該ＭＥＧＡＣＯ信号受付部１２は、コールエージェント装置３からのＭＥＧＡＣＯ信号を受け付け、配下ＶｏＩＰ機能部４ａへの振り分けを行なう。１６はＭＥＧＡＣＯ信号受付部１２で受け付けた呼と配下ＶｏＩＰ機能部４ａで処理している呼のリンクを管理する代表呼情報管理テーブルである。
【００２８】
図３は代表呼情報管理テーブル１６の構成例を示す図である。代表呼情報番号で代表呼情報をアクセスする。代表呼情報番号は、代表ＶｏＩＰ機能部２０内において、呼を特定するための内部番号である。この代表呼情報番号でアクセスされる代表呼情報は、図に示すように、外部公開ＩＰアドレス、内部通信用ＩＰアドレス、呼情報番号、ＶｏＩＰ側ＴＳＷ接続情報、ＳＰＳＷ接続情報、回線終端装置側ＴＳＷ接続情報よりなる。ここで、呼情報番号は、配下ＶｏＩＰ機能部４ａ内において、呼を特定するための内部番号である。
【００２９】
再び図２において、１３は配下ＶｏＩＰ機能部４ａが実行できる信号、又はコールエージェント装置３に通知できる信号にＭＥＧＡＣＯ信号を変換し、配下ＶｏＩＰ機能部４ａ、又はコールエージェント装置３に通知するＭＥＧＡＣＯ信号変換部である。該ＭＥＧＡＣＯ信号変換部１３は、前記代表呼情報管理テーブル１６にアクセスしてデータの参照を行なう。
【００３０】
１４は配下ＶｏＩＰ機能部４ａの使用回線、発信呼情報を管理する配下ＶｏＩＰ機能部管理部である。１７は、該配下ＶｏＩＰ機能部管理部１４からアクセスを受ける配下ＶｏＩＰ機能部管理テーブルである。図４は、配下ＶｏＩＰ機能部管理テーブル１７の構成例を示す図である。該配下ＶｏＩＰ機能部管理テーブル１７は、配下ＶｏＩＰ機能部数からＶｏＩＰ機能部番号でアクセスされる配下ＶｏＩＰ機能部管理情報を具備している。
【００３１】
該配下ＶｏＩＰ機能部管理情報は、配下ＶｏＩＰ使用可否状態、内部通信用ＩＰアドレス、使用回線数、ＣＣ使用率、ディジタル信号処理装置使用率から構成されている。ここで、内部通信用ＩＰアドレスは、機能部に割り当てられた値が固定で設定済みである。図１の例であれば、ＶｏＩＰ機能部＃０は10.22.0.1、ＶｏＩＰ機能部＃１は10.22.0.2となる。
【００３２】
再び図２において、１５は実装回線の可否及び故障回復を管理する回線管理部である。該回線管理部１５は、代表ＶｏＩＰ機能部２０がコールエージェント装置３に見せているチャネルとメディアゲートウェイ装置４、代表呼情報番号の対応表を管理する。チャネル番号対応でコールエージェント装置３に提供したＭＧデータと内部管理の情報の対応が確認可能である。
【００３３】
図５は回線状態管理テーブル１８の構成例を示す図である。該回線状態管理テーブル１８は、収容回線情報とＭＧ情報と、対応代表呼情報番号とから構成されている。収容回線情報は、回線番号と、チャネル番号と、回線状態とから構成されている。ここで、回線状態は、「空き」、「使用中」、「閉塞」、「故障」、「故障閉塞」が管理できるものとする。ＭＧ情報は、ＭＧ番号と外部公開ＩＰアドレスとから構成されている。例えば、ＭＧ番号がメディアゲートウェイ装置＃０に対しては、外部公開ＩＰアドレスは、192.168.0.1である。外部公開ＩＰアドレスは、コールエージェント装置３が認識しているＭＧのＩＰアドレスを示す。対応代表呼情報番号は、代表ＶｏＩＰ機能部内において、呼を特定するための内部番号である。
【００３４】
図６は代表ＶｏＩＰ機能部にて発生するイベントのシーケンスを示す図である。図２、図１と同一のものは、同一の符号を付して示す。図中、矢印で示す範囲が代表ＶｏＩＰ機能部２０である。先ず、ＶｏＩＰ機能部４ａから回線管理部１５に回線状態変化通知が通知される（Ｓ１）この回線状態変化通知は、回線状態変化通知時に通知する。回線管理部１５では、回線状態管理テーブル１８に通知された回線状態を設定する（Ｓ２）。この場合において、回線状態管理テーブル１８内の収容回線情報の回線状態に、「空き」、「閉塞」、「故障」、「故障閉塞」が設定される。この後、回線管理部１５は、ＶｏＩＰ機能部４ａに応答を返す（Ｓ３）。
【００３５】
図７は配下ＶｏＩＰ状態変化通知イベントシーケンスを示す図である。図２、図１と同一のものは、同一の符号を付して示す。図に示す矢印で示す範囲が代表ＶｏＩＰ機能部２０である。先ず、ＶｏＩＰ機能部４ａから配下ＶｏＩＰ機能部管理部１４にＣＣ使用率を通知する（Ｓ１）。このＣＣ使用率は、一定の周期又は一定のＣＣ使用率なった時点で通知するようになっている。ＣＣ使用率通知を受けた配下ＶｏＩＰ機能部管理部１４は、配下ＶｏＩＰ機能部管理テーブル１７内のＣＣ使用率に通知された値を設定する（Ｓ２）。そして、該配下ＶｏＩＰ機能部管理部１４は、ＶｏＩＰ機能部４ａに対して応答を返す（Ｓ３）。
【００３６】
次に、ＶｏＩＰ機能部４ａは、配下ＶｏＩＰ機能部管理部１４に対してディジタル信号処理装置使用率を通知する（Ｓ４）。この場合において、一定の周期又は一部のディジタル信号処理装置使用率になった時点で通知する。また、ＣＣ使用率とインタフェースを同一としてもよい。ディジタル信号処理装置使用率通知を受けた配下ＶｏＩＰ機能部１４は、配下ＶｏＩＰ機能部管理テーブル１７内のディジタル信号処理装置使用率に通知された値を設定する（Ｓ５）。次に、ＶｏＩＰ機能部４ａに対して応答を返す（Ｓ６）。
【００３７】
次に、ＶｏＩＰ機能部４ａは、配下ＶｏＩＰ機能部管理部１４に対して、ＶｏＩＰ使用可否を通知する（Ｓ７）。このＶｏＩＰ使用可否は状態変化時に通知するようになっている。ＶｏＩＰ使用可否通知を受けた配下ＶｏＩＰ機能部管理部１４は、配下ＶｏＩＰ機能部管理テーブル１７内の配下ＶｏＩＰ使用可否状態に通知された値を設定する（Ｓ８）。その後、ＶｏＩＰ機能部４ａに対して応答を返す（Ｓ９）。
【００３８】
図８はＭＥＧＡＣＯ信号受信時のシーケンス図である。図２、図１と同一のものは、同一の符号を付して示す。図中、矢印で示す範囲が代表ＶｏＩＰ機能部２０である。先ず、コールエージェント装置３からＭＥＧＡＣＯ信号が出される（Ｓ１）。ＭＥＧＡＣＯ信号受付部１２はこの信号を受け付けると、回線状態読み出し信号を回線管理部１５に対して通知する（Ｓ２）。該回線管理部１５は、回線状態管理テーブル１８から回線状態を収集する（Ｓ３）。該回線管理部１５は、回線状態をＭＥＧＡＣＯ信号受付部１２に通知する（Ｓ４）。
【００３９】
ＭＥＧＡＣＯ信号受付部１２は、回線状態を判定する。そして、空き／使用中であった場合にはステップＳ６に進む。故障／閉塞状態であった場合には、ステップＳ２０に飛ぶ。次に、回線状態が空き／使用中であった場合には、新規呼であるかどうかを判定する（Ｓ６）。新規呼であった場合には、ステップＳ７に進む。ＭＥＧＡＣＯ信号受付部１２は、代表呼情報番号を取得する（Ｓ７）。そして、配下ＶｏＩＰ機能部決定通知を配下ＶｏＩＰ機能部管理部１４に送信する（Ｓ８）。配下ＶｏＩＰ機能部管理テーブル１７から通信するＶｏＩＰ機能部を選出する（Ｓ９）。選択するロジックについては後述する。次に、配下ＶｏＩＰ機能部管理部１４は、ＭＥＧＡＣＯ信号受付部１２に対して応答を返す（Ｓ１０）。
【００４０】
この応答を受けたＭＥＧＡＣＯ信号受付部１２は、通信する配下ＶｏＩＰ機能部情報を代表呼情報管理テーブル１６に設定する（Ｓ１１）。次に、ＭＥＧＡＣＯ信号受付部１２は、回線管理部１５に対して接続回線設定要求を通知する（Ｓ１２）。回線管理部１５は、この通知を受けＴＳＷ／ＳＰＳＷに対してＳＰＳＷ接続要求を行なう（Ｓ１３）。ＴＳＷ／ＳＰＳＷは回線管理部１５に応答を返す（Ｓ１４）。
【００４１】
回線管理部１５は、この応答を受けると再びＴＳＷ／ＳＰＳＷに対してＴＳＷ接続要求を通知する（Ｓ１５）。ＴＳＷ／ＳＰＳＷは、この通知に対する応答を回線管理部１５に返す（Ｓ１６）。この応答を受けた回線管理部１５では、回線状態管理テーブル１８を使用中にし、代表呼情報を番号を設定する（Ｓ１７）。次に、回線管理部１５は、ＭＥＧＡＣＯ信号受付部１２に対して応答を通知する（１８）。
【００４２】
この応答通知を受けたＭＥＧＡＣＯ信号受付部１２では、ＳＰＳＷとＴＳＷの接続情報を代表呼情報管理テーブルに設定する（Ｓ１９）。次に、ＭＥＧＡＣＯ信号受付部１２は、ＭＥＧＡＣＯ信号変換部１３に対して受信信号通知を行なう（Ｓ２０）。次に、ＭＥＧＡＣＯ信号変換部１３は、代表呼情報管理テーブル１６から通信先の配下ＶｏＩＰ機能部情報を取得する（Ｓ２１）。そして、ＶｏＩＰ機能部４ａに対してＭＥＧＡＣＯ信号を送出する（Ｓ２２）。同時に、ＭＥＧＡＣＯ信号変換部１３は、ＭＥＧＡＣＯ信号受付部１２に対して応答を返す（Ｓ２３）。
【００４３】
図９はＭＥＧＡＣＯ信号送信時のシーケンス図である。図１、図２と同一のものは、同一の符号を付して示す。図中矢印で示す範囲が代表ＶｏＩＰ機能部２０である。先ず、ＶｏＩＰ機能部４ａからＭＥＧＡＣＯ信号変換部１３にＭＥＧＡＣＯ信号が送信される（Ｓ１）。ＭＥＧＡＣＯ信号を受けたＭＥＧＡＣＯ信号変換部１３は、回線管理部１５に対して代表呼情報番号を取得する（Ｓ２）。次に、回線管理部１５はチャネル対応の代表呼情報をＭＥＧＡＣＯ信号変換部１３に返却する（Ｓ３，Ｓ４）。
【００４４】
ＭＥＧＡＣＯ信号変換部１３は、呼が新規呼であるかどうかチェックする（Ｓ５）。新規呼であった場合には、呼情報番号を代表呼情報管理テーブル１６に設定し（Ｓ６）、ステップＳ１６にスキップする。ステップＳ５で既存呼であった場合、送信信号判定を行ない（Ｓ７）、サブトラクトリプライ（ｓｕｂｔｒａｃｔ  ｒｅｐｌｙ）であった場合には、回線管理部１５に対して接続回線削除要求を通知する（Ｓ８）。接続回線削除要求を受けた回線管理部１５は、ＴＳＷ／ＳＰＳＷにＳＰＳＷ接続要求を行なう（Ｓ９）。ＴＳＷ／ＳＰＳＷは、回線管理部１５に応答を返す（Ｓ１０）。
【００４５】
回線管理部１５は、この応答を受けてＴＳＷ接続要求（ＶｏＩＰ側と回線終端装置側の２回実施）をＴＳＷ／ＳＰＳＷに対して通知する（Ｓ１１）。ＴＳＷ／ＳＰＳＷは、これに対して応答を返す（Ｓ１２）。次に、回線管理部１５は、回線状態管理テーブル１８を空きとし、代表呼情報番号をクリアする（Ｓ１３）。回線管理部１５は、ＭＥＧＡＣＯ信号変換部１３に対してその旨の信号を通知する（Ｓ１４）。ＭＥＧＡＣＯ信号変換部１３は、代表呼情報管理テーブル１６の情報をクリアする（Ｓ１５）。この場合、対応するコールエージェント装置３の情報は予め別データに保持しておく。
【００４６】
本発明によれば、代表ＶｏＩＰ機能部２０がＭＥＧＡＣＯ信号を受信した際、ラウンドロビン方式を用いて、接続される配下ＶｏＩＰ機能部管理部１４の全てに対して平均的に負荷を分散させることができる。また、代表ＶｏＩＰ機能部２０がＭＥＧＡＣＯ信号を受信した際、メッシュ関数を用いて配下ＶｏＩＰに対して平均的に負荷を分散させることができる。
【００４７】
図１０は配下ＶｏＩＰ選択ロジックフローを示す図である。先ず、使用予定の配下ＶｏＩＰ機能部番号を０とする（Ｓ１）。次に、ステップＳ１０とステップＳ２０間を配下ＶｏＩＰ数分ループする。使用配下ＶｏＩＰ機能部は使用可能かどうかチェックする（Ｓ１１）。使用不可であった場合には、ステップＳ２０にスキップする。使用可であった場合には、ａ＝ＣＣ使用率*ｍ，ｂ＝回線使用率*ｎ，ｃ＝ディジタル信号処理装置使用率*ｏを演算する（Ｓ１２〜Ｓ１４）。
【００４８】
なお、配下ＶｏＩＰ機能部管理テーブル１７の各種情報に対し、それぞの係数をかける。係数は、保守者が決定することが可能であり、選択する必要のない場合は０を与えることで、該当の要素が負荷分散に影響しなくなる。
【００４９】
次に、ａ＋ｂ＋ｃの合算値と、使用予定ＶｏＩＰ機能部の情報と比較する（Ｓ１５）。比較の結果、使用予定のＶｏＩＰであった場合には、ステップＳ２０にスキップする。今回のＶｏＩＰであった場合には、使用予定の配下ＶｏＩＰ機能部番号を更新する（Ｓ１６）。以上、ステップＳ１０〜ステップＳ１６を配下ＶｏＩＰ数分のループを繰り返す（Ｓ２０）。次に、選択中の配下ＶｏＩＰ機能番号を利用する（Ｓ２）。
【００５０】
以上、説明したように、この実施の形態例によれば、代表ＶｏＩＰ機能部２０がＣＣ使用率又は回線使用率、ディジタル信号処理装置使用率を用いてＭＥＧＡＣＯ信号を振り分けることができる。
【００５１】
図１１は負荷分散時のＴ−Ｓ−Ｔ接続イメージを示す図である。負荷分散時は、Ｔ−Ｓ−Ｔ接続は動的に行なわれる。回線０番に収容されたチャネル０番及び１番を負荷分散接続したＴ−Ｓ−Ｔ接続イメージを示している。Ａに示すように、接続されるチャネルは呼設定毎に動的に設定される。また、Ｂは、回線終端装置の回線内のチャネルに対応するタイムスロットである。
【００５２】
図１２はＶｏＩＰ機能部が３台ある場合のシステム構成例を示す図である。図１と同一のものは、同一の符号を付して示す。この実施の形態例は、メディアゲートウェイ装置４を３台設けた例を示している。基本的には、メディアゲートウェイ装置４を３台設けても、基本的な動作は変わらない。コールエージェント装置３が、従来と同様のＭＥＧＡＣＯ信号を送出すると、代表ＶｏＩＰ機能部２０が呼の分配を＃１〜＃３までのメディアゲートウェイ装置４に割り振るようになる。
【００５３】
図１３はＶｏＩＰ機能部が１台ある状況でのシステム構成例を示す図である。図１と同一のものは、同一の符号を付して示す。この実施の形態例は、コールエージェント装置３が＃０と＃１の２台設けられている場合であって、メディアゲートウェイ装置４が１台設けられている場合を示している。負荷が非常に小さい場合、メディアゲートウェイ装置４は１台ですみ、内蔵の１台のＶｏＩＰ機能部４ａでまかなわせるようにしたものである。
【００５４】
上述の実施の形態例において、代表ＶｏＩＰ機能部２０がＭＥＧＡＣＯ信号を受信した際、選択された回線を動的に接続、開放するようにすることができる。このようにすれば、選択された回線を動的に接続、開放することで動的に速やかな回線制御を行なうことができる。
【図面の簡単な説明】
【００５５】
【図１】本発明の原理ブロック図である。
【図２】代表ＶｏＩＰ機能部の構成例を示すブロック図である。
【図３】代表呼情報管理テーブルの構成例を示す図である。
【図４】配下ＶｏＩＰ機能部管理テーブルの構成例を示す図である。
【図５】回線状態管理テーブルの構成例を示す図である。
【図６】代表ＶｏＩＰ機能部にて発生するイベントのシーケンスを示す図である。
【図７】配下ＶｏＩＰ状態変化通知イベントシーケンスを示す図である。
【図８】ＭＥＧＡＣＯ信号受信時のシーケンス図である。
【図９】ＭＥＧＡＣＯ信号送信時のシーケンス図である。
【図１０】配下ＶｏＩＰ選択ロジックフローを示す図である。
【図１１】負荷分散時のＴ−Ｓ−Ｔ接続イメージを示す図である。
【図１２】ＶｏＩＰ機能部が３台ある場合のシステム構成例を示す図である。
【図１３】ＶｏＩＰ機能部が１台ある状況でのシステム構成例を示す図である。
【図１４】ＭＥＧＡＣＯ通信方式における接続構成例を示すブロック図である。
【図１５】コールエージェント装置内部のメディアゲートウェイ装置情報管理データを示す図である。
【図１６】ＶｏＩＰ機能部内の呼管理テーブルを示す図である。
【図１７】ＶｏＩＰ機能部内の固定接続テーブルを示す図である。
【図１８】Ｔ−Ｓ−Ｔ接続図である。
【図１９】従来システムの問題点の説明図である。
【符号の説明】
【００５６】
１    ＩＰ電話端末
２    ＩＰ網
３    コールエージェント装置
４    メディアゲートウェイ装置
４ａ  ＶｏＩＰ機能部
４ｂ  ＴＳＷ（時間スイッチ）
５    ＳＰＳＷ（空間スイッチ）
６    ＴＳＷ（時間スイッチ）
７    回線終端装置
８    ＰＳＴＮ（固定電話網）
９    交換機
１０  固定電話
２０  代表ＶｏＩＰ機能部
【図１】
2005333312.tif 000003
【図２】
2005333312.tif 000004
【図３】
2005333312.tif 000005
【図４】
2005333312.tif 000006
【図５】
2005333312.tif 000007
【図６】
2005333312.tif 000008
【図７】
2005333312.tif 000009
【図８】
2005333312.tif 000010
【図９】
2005333312.tif 000011
【図１０】
2005333312.tif 000012
【図１１】
2005333312.tif 000013
【図１２】
2005333312.tif 000014
【図１３】
2005333312.tif 000015
【図１４】
2005333312.tif 000016
【図１５】
2005333312.tif 000017
【図１６】
2005333312.tif 000018
【図１７】
2005333312.tif 000019
【図１８】
2005333312.tif 000020
【図１９】
2005333312.tif 000021